(57)【特許請求の範囲】
【請求項１】
容器体口頸部に嵌合させる装着キャップ４と、該装着キャップ上に嵌着固定するとともに、装着キャップ上端から起立した縦筒５の中間部からシリンダ６を、その上端部からは射出筒７をそれぞれ前方へ突設してなるポンプ本体８と、上記シリンダ内を前方付勢状態で押し込み可能に設けたプランジャ９と、上記射出筒前部に上端部を枢着させて垂下させるとともに、上記プランジャ９前端部をその上部に連係させたトリガー10とを備え、該トリガーの操作により容器体内の液体を吸い上げて射出筒７前端より噴出する如く構成したトリガー式液体噴出ポンプに於いて、上記プランジャ９の前端部両側をトリガー10上部に回動可能に枢着固定させて連係させ、上記縦筒５基端部外周部位に回動不能に固定リング32を嵌着固定させるとともに、該リング前面上下を基端部として各々前方へ漸次間隔を狭める如く湾曲下降するとともに、先端部で一体となる二枚の弾性板33，33を突設してなるバネ部材26A を設け、該バネ部材26A により上記プランジャ９の前方付勢力を付与したことを特徴とするトリガー式液体噴出ポンプ。
【請求項２】
容器体口頸部に嵌合させる装着キャップ４と、該装着キャップ上に嵌着固定するとともに、装着キャップ上端から起立した縦筒５の中間部からシリンダ６を、その上端部からは射出筒７をそれぞれ前方へ突設してなるポンプ本体８と、上記シリンダ内を前方付勢状態で押し込み可能に設けたプランジャ９と、上記射出筒前部に上端部を枢着させて垂下させるとともに、上記プランジャ９前端部をその上部に連係させたトリガー10とを備え、該トリガーの操作により容器体内の液体を吸い上げて射出筒７前端より噴出する如く構成したトリガー式液体噴出ポンプに於いて、上記プランジャ９の前端部両側をトリガー10上部に回動可能に枢着固定させて連係させ、上記縦筒５基端部外周部位に回動不能に固定リング32を嵌着固定させるとともに、該リング前面上部の間隔をあけた二箇所及びその下部中央を基端部として各々前方へ漸次上下の間隔を狭める如く湾曲下降するとともに、先端部で一体となる三枚の弾性板33，33，33を突設してなるバネ部材26B を設け、該バネ部材26B により上記プランジャ９の前方付勢力を付与したことを特徴とするトリガー式液体噴出ポンプ。
【発明の詳細な説明】
【０００１】
【発明の属する技術分野】
本発明はトリガー式液体噴出ポンプに関する。
【従来の技術】
トリガー式の液体噴出ポンプとして、例えば、実開昭６２−１７０１６８号公報に記載されたものが知られている。
これらは、容器体口頚部嵌合用の装着キャップ上端から縦筒を起立し、該縦筒の中間部からシリンダを、かつ縦筒の上端から射出筒を、それぞれ前方へ突設し、そのシリンダ内へ嵌合させたプランジャを金属製のコイルスプリングで前方付勢し、また、そのプランジャの前端面を、上記射出筒前部に枢着させて垂下するトリガーの上部後面へ係合させ、該トリガーを前後に操作することで、容器体内液体を吸込弁，吐出弁を介して射出筒前端から噴出するよう設けている。
【０００２】
【発明が解決しようとする課題】
上記従来のポンプは金属スプンリグが内蔵されているため、廃棄の際に分解して取り出すのが困難で、近年の分別処理が臨まれている廃棄事情にそぐわない。また、コイルスプリングはシリンダ内に内蔵するため比較的小さく、その組付け操作適正位置に装着しなればならないため、組み付け操作が面倒な点もある。
本発明は、この様な点を考慮して、近年の廃棄物処理事情に適した、しかも組み付け操作も簡単な優れたポンプを提案するものである。
【０００３】
【課題を解決するための手段】
上記課題を解決するため、第１の手段として、容器体口頸部に嵌合させる装着キャップ４と、該装着キャップ上に嵌着固定するとともに、装着キャップ上端から起立した縦筒５の中間部からシリンダ６を、その上端部からは射出筒７をそれぞれ前方へ突設してなるポンプ本体８と、上記シリンダ内を前方付勢状態で押し込み可能に設けたプランジャ９と、上記射出筒前部に上端部を枢着させて垂下させるとともに、上記プランジャ９前端部をその上部に連係させたトリガー10とを備え、該トリガーの操作により容器体内の液体を吸い上げて射出筒７前端より噴出する如く構成したトリガー式液体噴出ポンプに於いて、上記プランジャ９の前端部両側をトリガー10上部に回動可能に枢着固定させて連係させ、上記縦筒５基端部外周部位に回動不能に固定リング32を嵌着固定させるとともに、該リング前面より前方へ湾曲下降してその前端をトリガー10裏面に当接させた弾性板33を延設してなる合成樹脂製のバネ部材26を設け、該バネ部材26により上記プランジャ９の前方付勢力を付与した。
【０００４】
また、第２の手段として、上記第１の手段に於いて、上記バネ部材26が、上記固定リング32前面上下を基端部として各々前方へ漸次間隔を狭める如く湾曲下降するとともに、先端部で一体となる二枚の弾性板33，33を突設してなるバネ部材26A である如く構成した。
【０００５】
また、第３の手段として、上記第１の手段に於いて、上記バネ部材26が、上記固定リング32前面上部の間隔をあけた二箇所及びその下部中央を基端部として各々前方へ漸次上下の間隔を狭める如く湾曲下降するとともに、先端部で一体となる三枚の弾性板33，33，33を突設してなるバネ部材26B である如く構成した。
【０００６】
【発明の実施の形態】
以下、本発明の実施例の形態を図面を参照して説明する。
本発明は、例えば図１に示す如く、容器体２の口頚部３に嵌合させる装着キャップ４と、該装着キャップ上に嵌着固定するとともに、装着キャップ上端から起立した縦筒５の中間部からシリンダ６を、その上端部からは射出筒７をそれぞれ前方へ突設してなるポンプ本体８と、上記シリンダ内を前方付勢状態で押し込み可能に設けたプランジャ９と、上記射出筒前部に上端部を枢着させて垂下させるとともに、上記プランジャ前端部をその上部に連係させたトリガー１０とを備え、該トリガーの操作により容器体内の液体を吸い上げて射出筒７前端より噴出する如く構成したトリガー式液体噴出ポンプ１の改良に係わるものである。
【０００７】
ここで、本実施例に於ける内部構造を具体的に説明しておく。
装着キャップ４は、容器体口頚部３外周に周壁１１を螺着させて着脱可能に容器体２に装着し、ひいてはポンプ全体を容器体に固定させるためのもので、その頂壁１２上面からはポンプ本体８を嵌着させるための嵌合筒１３を立設している。
【０００８】
ポンプ本体８は、上記嵌合筒１３外周に嵌合して固定するための嵌合筒１４を有し、該嵌合筒１４内後部に該嵌合筒１４と一部を共有する小径の縦筒５を立設している。縦筒５内には、上記装着キャップ頂壁１２後部に下端を開口して起立する区画筒部１５を嵌合させ、その下部に吸い上げパイプ１６を嵌合させている。また、その中間部に穿設した透孔１７を、後述する弁体嵌合筒部を介してシリンダ６と連通させることで区画筒部１５の内部を介して容器体２内とシリンダ６内とを連通させる如く構成している。
【０００９】
シリンダ６は、その後端面を、上記縦筒５の前壁で形成する後端壁により閉塞するとともに、該後端壁の中央部から後方大径の弁体嵌合筒部１８を、かつその後端壁外周部から短筒部１９を、それぞれ前方突設し、その弁体嵌合筒部１８を上記透孔１７を介して区画筒部１５内と連通させ、また、短筒部１９後端と弁体嵌合筒部１８後端との間の後端壁部分の上部に穿設した流通孔２０を介して、上記短筒部１９を縦筒５内上部と連通させている。
【００１０】
シリンダ６内には吸い込み弁２１及び吐出弁２２を設けている。吸い込み弁２１及び吐出弁２２は、弾性を有する合成樹脂材で一体成形した弁部材を設けることにより構成している。該弁部材は、上記弁体嵌合筒部１８の外面に凹凸の係合手段を介して嵌着させた基筒部２３と、該基筒部２３の前端面から前方へ突設した複数かつ横断面半円形の弾性螺旋帯部ａ前端で支持され、且つ上記弁体嵌合筒部１８の前端面へ圧接させた弁板２４と、上記基筒部２３の前端部外面から後方外方へ拡開突設し、且つ、上記短筒部１９の内面へ後端部外面を圧接させた弾性筒状弁板２５とで構成している。そして、上記弁板２４により弁体嵌合筒部１８前面を開閉可能に閉塞することにより吸い込み弁２１を、また、弾性筒状弁板２５により短筒部１９内面を開閉可能に閉塞することにより吐出弁２２をそれぞれ形成している。
【００１１】
本発明では、上記プランジャ９の前端部両側をトリガー１０上部に揺動可能に枢着固定させて連係させ、また、特殊構成の合成樹脂製のバネ部材２６を設けてプランジャ９の前方付勢力を付与させる如く構成している。
【００１２】
本実施例に於いて上記トリガー１０は、上記射出筒７の前部両側に於いて、側板２７の上端部を回動可能に連結し、また、両側板２７間前縁間に上端部を除いて前板２８を掛け渡している。また、両側板２７上部より内方へそれぞれ円柱状の枢着軸２９を突設し、各枢着軸２９をプランジャ９の前端部両側に凹設した縦長楕円状の凹部３０内に回動可能に嵌合させて、トリガー１０の回動をプランジャ９の前後動に連係させている。更に、前板２８の上部に先端を開口して後方へ案内筒３１を突設し、該案内筒内後部にプランジャ９先端を臨ませている。また、前板２８の上端縁より後方へ係止板３７を突設し、この係止板３７上面を射出筒７下面に当接させて前方付勢されたトリガー１０がそれ以上前方へ回動しないよう構成している。
【００１３】
上記バネ部材２６は、図２に示す如き円筒状の固定リング３２前面より前方へ湾曲下降する弾性板３３を突設したもので、固定リング３２の前部内面には回動不能に嵌着固定させるための縦凹溝３４を穿設している。
【００１４】
そして、上記ポンプ本体８の嵌合筒１４外周に固定リング３２を嵌着するとともに、弾性板３３の前端縁をトリガー１０の前板２８裏面に当接させて装着する。この際、上記縦凹溝３４に嵌合筒１４前面の縦突条３５を嵌合させて固定リング３２の回動を防止している。トリガー１０を後方へ引いて回動させると、弾性板３３が弾性変形しつつその先端縁を上記前板２８裏面下方へ摺動させ、トリガー１０の押圧を解除すれば、この弾性板３３の弾性復元力により、トリガー１０が前方へ押し戻され、その結果、プランジャ９も前方へ引き出される如く構成している。
尚、射出筒７の先端には噴霧ノズル３６を嵌着固定させている。
【００１５】
上記の如きポンプを使用する場合は、例えば、図１が示す状態からトリガー１０を弾性板３３の弾発力に抗して容器体側へ引き寄せると、プランジャ９が押し込まれて、シリンダ６内の液体が加圧され、弾性筒状弁板２５が弾性変形して吐出弁２２が開弁し、シリンダ６内液体が流通孔２０から縦筒５上部を介して射出筒７を通り、噴霧ノズル３６から噴出する。次いで、トリガー１０を開放すると、プランジャ９が前進して、シリンダ６内が負圧化するため、弾性螺旋帯部ａの弾発力に抗して弁板２４が弁体嵌合筒部１８の前端面から離れ、容器体２内の液体がシリンダ６内へ流入する如く構成している。
【００１６】
図３及び図４は本発明の他の実施例を示し、本実施例では上記バネ部材２６を、上記固定リング３２前面上下を基端部として各々前方へ漸次間隔を狭める如く湾曲下降するとともに、先端部で一体となる二枚の弾性板３３，３３を突設してなるバネ部材２６Ａ  として構成している。その他は上記実施例と同様であるため説明を省く。
【００１７】
また、図５及び図６は本発明の更に他の実施例を示し、本実施例では、上記バネ部材２６を、上記固定リング３２上部の間隔をあけた二箇所及びその下部中央を基端部として各々前方へ漸次上下の間隔を狭める如く湾曲下降するとともに、先端で一体となる三枚の弾性板３３，３３，３３を突設してなるバネ部材２６Ｂ  として構成している。その他は上記図１の実施例と同様であるため説明を省く。
尚、上記各実施例に於いて、各部材は主として合成樹脂を使用して形成し、必要に応じてエラストマー等の弾性材料を併用してもよい。
【００１８】
【発明の効果】
以上説明した如く本発明トリガー式液体噴出ポンプは、プランジャの前端部両側をトリガー上部に回動可能に枢着固定させて連係させ、縦筒基端部外周部位に回動不能に固定リングを嵌着固定させるとともに、該リング前面より前方へ湾曲下降してその前端をトリガー裏面に当接させた弾性板を延設してなる合成樹脂製のバネ部材を設け、該バネ部材によりプランジャの前方付勢力を付与する如く構成したので、従来、プランジャの前方付勢力付与のために使用されていた金属製のコイルスプンリグを排除して全体を合成樹脂或いは合成樹脂とエラストマー等により形成できるため、廃棄の際に金属と合成樹脂等を分別する必要がなく、近年の廃棄物処理事情に則した優れたポンプである。
【００１９】
また、バネ部材はポンプ本体外側に露出して装着され、また、構造が簡単でその大きさもコイルスプリングと比較して大きいため、組み付け操作を容易に行えるという利点も備えている。
【００２０】
また、第２及び第３の手段に記載された発明では、必要に応じて、トリガーを押し戻すためのより強力な弾発力を発揮でき、また、上下の弾性板の肉厚を必要に応じて変えることも可能であり、ポンプの大きさ等にあわせてその弾発力を適宜変更することができる。
【図面の簡単な説明】
【図１】本発明の一実施例を示す縦断面図である。
【図２】同実施例の弁部材を示す斜視図である。
【図３】本発明の他の実施例を示す縦断面図である。
【図４】同実施例の弁部材を示す斜視図である。
【図５】本発明の更に他の実施例を示す縦断面図である。
【図６】同実施例の弁部材を示す斜視図である。
【符号の説明】
２…容器体，３…口頚部，４…装着キャップ，５…縦筒，６…シリンダ，
７…射出筒，８…ポンプ本体，９…プランジャ，１０…トリガー，
２６，２６Ａ  ，２６Ｂ  …バネ部材，３２…固定リング，３３…弾性板，
【図１】
0003597318.tif 000002
【図２】
0003597318.tif 000003
【図３】
0003597318.tif 000004
【図４】
0003597318.tif 000005
【図５】
0003597318.tif 000006
【図６】
0003597318.tif 000007